【手続補正書】
【提出日】平成16年4月1日(2004.4.1)
【手続補正１】
【補正対象書類名】明細書
【補正対象項目名】全文
【補正方法】変更
【補正の内容】
【発明の名称】通信システムおよび端末並びにホストコンピュータ
【特許請求の範囲】
【請求項１】所定のデータを元に演算処理する端末と、当該端末と接続されたホストコンピュータとからなる通信システムであって、
前記端末のデータを変更した場合、前記ホストコンピュータからテストデータを端末に送信する送信手段と、
前記端末がテストデータを受信したとき、該テストデータを元に、前記変更したデータを用いて演算処理する演算手段と、
前記演算手段の演算結果のデータを前記ホストコンピュータに返信する返信手段とを備えた
通信システム。
【請求項２】運賃データを元に乗車媒体に関する演算処理を行う端末と、当該端末と接続されたホストコンピュータとからなる通信システムであって、
前記運賃データを変更した場合、前記ホストコンピュータから乗車媒体に関するテストデータを端末に送信する送信手段と、
前記端末がテストデータを受信したとき、該テストデータを元に、前記変更した運賃データを用いて乗車媒体に関する演算処理を行う演算手段と、
前記演算手段の演算結果のデータを前記ホストコンピュータに返信する返信手段とを備えた
通信システム。
【請求項３】運賃データを元に乗車媒体へ所定のデータを書込む端末と、当該端末と接続されたホストコンピュータとからなる通信システムであって、
前記運賃データを変更した場合、前記ホストコンピュータから乗車媒体に記録されるべきテストデータを端末に送信する送信手段と、
前記端末がテストデータを受信したとき、該テストデータを元に、前記変更した運賃データを用いて乗車媒体に書込むべきデータを演算する演算手段と、
前記演算手段の演算結果のデータを前記ホストコンピュータに返信する返信手段とを備えた
通信システム。
【請求項４】請求項１から３のいずれか一つに記載の通信システムに使用される端末。
【請求項５】請求項１から３のいずれか一つに記載の通信システムに使用されるホストコンピュータ。
【発明の詳細な説明】
【０００１】
【発明の属する技術分野】
この発明は、例えば、駅務において、自動券売機、自動改札機および精算機などの端末と、センタのホストコンピュータとを通信手段を介して接続し、ホストコンピュータと各端末とがデータ通信をするような通信システムおよび端末並びにホストコンピュータに関する。
【０００２】
【従来の技術】
上述の駅務において、運賃を改正する場合、ホストコンピュータから新運賃のデータを各端末に送信して、各端末の運賃データを該新運賃データに更新させることが可能である。
【０００３】
上述のように運賃が改正された場合、各端末は新運賃で正確に処理できるかを確認するために、テストを行うが、このテストは、係員が各端末まで行き、例えば、自動券売機では該機をテストモードに設定して、いずれかの乗車券選択キーを操作して券の発行を行い、発行された乗車券を係員が目視判読して確認する。また、自動改札機についても、テストモードで乗車券またはテスト媒体を投入してテストを行い、また、精算機においても同様に乗車券やテスト媒体を投入してテストを行っている。
【０００４】
このように、各端末でのテストを乗車券やテスト媒体を用いて実行する場合、人手と時間がかかり、効率が悪い問題点を有し、また、テストモードのときは端末が不使用の状態であるため、営業をしていない深夜に行う必要があり、作業員の作業負担が大きい問題点を有する。
【０００５】
【発明が解決しようとする課題】
この発明は、上述の問題点に鑑み、端末のデータを変更したとき、この変更したデータでのテストを容易にかつ迅速に行うことができる通信システムおよび端末並びにホストコンピュータの提供を目的とする。
【０００６】
【課題を解決するための手段】
この発明の請求項１記載の発明は、所定のデータを元に演算処理する端末と、当該端末と接続されたホストコンピュータとからなる通信システムであって、前記端末のデータを変更した場合、前記ホストコンピュータからテストデータを端末に送信する送信手段と、前記端末がテストデータを受信したとき、該テストデータを元に、前記変更したデータを用いて演算処理する演算手段と、前記演算手段の演算結果のデータを前記ホストコンピュータに返信する返信手段とを備えた通信システムであることを特徴とする。
【０００７】
この発明の請求項２記載の発明は、運賃データを元に乗車媒体に関する演算処理を行う端末と、当該端末と接続されたホストコンピュータとからなる通信システムであって、前記運賃データを変更した場合、前記ホストコンピュータから乗車媒体に関するテストデータを端末に送信する送信手段と、前記端末がテストデータを受信したとき、該テストデータを元に、前記変更した運賃データを用いて乗車媒体に関する演算処理を行う演算手段と、前記演算手段の演算結果のデータを前記ホストコンピュータに返信する返信手段とを備えた通信システムであることを特徴とする。
【０００８】
この発明の請求項３記載の発明は、運賃データを元に乗車媒体へ所定のデータを書込む端末と、当該端末と接続されたホストコンピュータとからなる通信システムであって、前記運賃データを変更した場合、前記ホストコンピュータから乗車媒体に記録されるべきテストデータを端末に送信する送信手段と、前記端末がテストデータを受信したとき、該テストデータを元に、前記変更した運賃データを用いて乗車媒体に書込むべきデータを演算する演算手段と、前記演算手段の演算結果のデータを前記ホストコンピュータに返信する返信手段とを備えた通信システムであることを特徴とする。
【０００９】
この発明の請求項４記載の発明は、請求項１から３のいずれか一つに記載の通信システムに使用される端末であることを特徴とする。
【００１０】
この発明の請求項５記載の発明は、請求項１から３のいずれか一つに記載の通信システムに使用されるホストコンピュータであることを特徴とする。
【００１１】
【発明の作用・効果】
この発明によれば、端末のデータを変更した場合、テストデータを端末に送信し、端末はこのテストデータを元に、演算処理を実行して、その演算結果のデータをホストコンピュータに送信する。
【００１２】
例えば、駅務において、運賃を改正した場合、ホストコンピュータからのテストデータ、例えば、端末が自動券売機であれば、所定区間の乗車券の券発行コマンド、端末が自動改札機であれば、新運賃による乗車券データ、端末が精算機であれば、精算処理を必要とする所定区間の乗車券データを端末に送信する。
【００１３】
端末では、該端末が自動券売機であれば、乗車券の券発行コマンドにより該当する乗車券の券発行データを演算し、該券発行データがＯＫか否かを判定して、その判定を演算結果としてホストコンピュータに返信する。また、端末が自動改札機であれば、乗車券データで改札処理するデータを演算し、該処理データがＯＫか否かを判定して、その判定を演算結果としてホストコンピュータに返信する。端末が精算機であれば、乗車券データで精算処理するデータを演算し、その判定を演算結果としてホストコンピュータに返信する。
ホストコンピュータでは、各端末からの演算結果に基づいて、新運賃に変更されているか否かを確認する。
【００１４】
上述の結果、端末のデータ変更についての確認作業は、係員が端末まで出向いてこれを動作させて確認することがなく、テストデータと演算結果の送受信によりセンタのホストコンピュータ側でデータの変更が効率よく確認ができ、従来の人手による確認作業がなくなり、確認作業が迅速に、また、短時間にできる。
【００１５】
【実施例】
この発明の一実施例を以下図面と共に説明する。図面は駅務における通信システムを示し、図１は該通信システムの構成図であり、センタ１０のホストコンピュータ（または運賃改正サーバ）１１とＡ駅１２の駅データ集計機１３とはデータ通信が可能なように有線または／および無線で接続され、また、駅データ集計機１３には監視盤１４がデータ通信可能に有線で接続され、該監視盤１４には駅内の配設された複数の端末、すなわち、自動券売機１５…、自動改札機１６…、精算機１７…を有線で接続している。なお、センタ１０のホストコンピュータ１１には複数の駅が接続されるが、この実施例では１の駅の場合を説明の便宜上示している。
【００１６】
上述の自動券売機１５は利用客が料金を投入して行き先を選択することにより乗車券を発行し、自動改札機１６は利用客が乗車券を投入することにより券の有効性を判定して検札処理や集札処理の改札処理を実行し、精算機１７は利用客が料金不足の乗車券を投入することで不足料金を徴収する精算処理を実行する。
【００１７】
監視盤１４は各端末、すなわち自動券売機１５、自動改札機１６、精算機１７の稼動を監視して異常が発生すると報知して対処し、また、駅データ集計機１３は各端末１５，１６，１７が処理したデータを集計してこれをセンタ１０のホストコンピュータ１１に送信する。そして、ホストコンピュータ１１は集計データで各駅の端末を管理する。
【００１８】
図２は、端末１５，１６，１７における１つの制御回路ブロック図を示し、ＣＰＵ２０はＲＯＭ２１に格納されたプログラムに沿って各回路装置を駆動制御し、ＲＡＭ２２は運賃データやその他動作に必要なデータを記憶する。端末処理部２３は、例えば、この端末が自動券売機１５であれば、券売処理を行い、また、自動改札機１６であれば、改札処理を行い、精算機１７でれば精算処理を行う。そして、通信制御部２４はこの端末のＣＰＵ２０と上位の機器、すなわち、監視盤１４、駅データ集計機１３を介してセンタ１０のホストコンピュータ１１とデータ通信可能に接続する。
【００１９】
上述のように構成した通信システムにおいて、運賃が改正されると、図３に示すように、この運賃を改正した新運賃データと、この新運賃データで各端末１５，１６，１７が正常に動作するか否かをテストするためのテストデータとをセンタ１０のホストコンピュータ１１に入力する。
【００２０】
センタ１０のホストコンピュータ１１は入力された新運賃データと、各端末のテストデータと、その他テストモードの開始と終了など、データの変更とテストの実行に必要な実行データをＡ駅１２に送信し、Ａ駅１２では駅データ集計機１３を介して監視盤１４より、各端末１５，１６，１７に対して、新運賃データと当該端末に対応するテストデータおよび必要な実行データを送信する。
【００２１】
端末１５，１６，１７では、ＣＰＵ２０が新運賃データと該当するテストデータおよびその実行データを通信制御部２４を介して受取って、ＲＡＭ２２に収納すると共に、該テストデータを元にして、新運賃データを用いて演算処理を実行し、その演算結果をセンタ１０のホストコンピュータ１１に返信する。
【００２２】
例えば、図４は、端末が自動券売機１５である場合、上段はそのデータに示す条件で発券を実行するコマンドのテストデータを示し、下段は該テストデータで演算処理したときの集計データと判定結果を示す。
【００２３】
すなわち、上述のテストデータは、利用客が乗車券を購入したときの料金の投入による金額データと、行き先選択の入力データとを、各種の購入パターンで構成しており、図４の上段の「１区間乗車券」は、１区間の乗車券の発行であって、該乗車券が大人用と小人用、さらに、それぞれの普通券と回数券、さらに、購入金が釣り銭が必要な要釣り銭金額と、釣り銭が不要で料金が一致する一致金額と、料金が不足する不足金額の各条件で、それぞれを１０枚ずつ発行するコマンドのテストデータを構成し、同様の条件で、２区間乗車券、３区間乗車券、その他必要な分の券発行コマンドのテストデータを構成する。
【００２４】
このようなテストデータで端末の自動券売機１５は券の発行の演算処理を実行して、演算結果が上述の各条件の発行と一致しているか否かの判定を行い、この集計データと判定結果とを演算結果としてセンタ１０のホストコンピュータ１１に返信する。
【００２５】
すなわち、図４の下段の「１区間乗車券」は、前述のテストデータの「１区間乗車券」の普通券を発行するために演算処理した券発行データと、該券発行データの判定結果を示す判定データを集計した集計データを示す。そして、この集計データは「１区間乗車券」の回数券の発行、さらに「２区間乗車券」「３区間乗車券」その他テストデータ全ての券発行データとその判定データが集計される。  センタ１０のホストコンピュータ１１に対しては、上述の集計データと、この集計により全体の判定結果ＯＫとが返信される。勿論、センタ１０のホストコンピュータ１１では上述の演算結果を判定することにより、自動券売機１５に対する運賃データの改正が正確に完了しているか否かを判定して確認する。
【００２６】
図５は、端末が自動改札機１６である場合、上段はそのデータに示す乗車券の条件で改札処理を実行するテストデータを示し、下段は該テストデータで演算処理したときの集計データと判定結果を示す。
【００２７】
すなわち、上述のテストデータは、利用客が改札機に投入した乗車券の読取り券データを、各種の乗車券パターンで構成しており、図５の上段の「１区間乗車券」は、１区間の乗車券であって、該乗車券が大人用と小人用、さらに、区間内と区間オーバ、それぞれの普通券と定期券の各条件で、それぞれを１０枚ずつ改札処理するテストデータを構成し、同様の条件で、２区間乗車券、３区間乗車券、その他必要な分の改札処理のテストデータを構成する。
【００２８】
このようなテストデータで端末の自動改札機１６は改札の演算処理を実行して、演算結果が上述の各条件で改札処理が正確にできているか否かの判定を行い、この集計データと判定結果とを演算結果としてセンタ１０のホストコンピュータ１１に返信する。
【００２９】
すなわち、図５の下段の「１区間乗車券」は、前述のテストデータの「１区間乗車券」のテストデータで改札するために演算処理した改札処理データと、該処理での判定結果を示す判定データを集計した集計データを示す。そして、この集計データは「２区間乗車券」「３区間乗車券」その他テストデータ全ての改札処理データとその判定データが集計される。
【００３０】
センタ１０のホストコンピュータ１１に対しては、上述の集計データと、この集計により全体の判定結果ＯＫとが返信される。勿論、センタ１０のホストコンピュータ１１では上述の演算結果を判定することにより、自動改札機１６に対する運賃データの改正が正確に完了しているか否かを判定して確認する。
【００３１】
図６は端末が精算機１７である場合、上段はそのデータに示す乗車券の条件で精算処理を実行するテストデータを示し、下段は該テストデータで演算処理したときの集計データと判定結果を示す。
【００３２】
すなわち、上述のテストデータは、利用客が精算機１７に投入した乗車券の読取り券データを、各種の乗車券パターンで構成しており、図６の上段の「１区間不足乗車券」は、１区間の乗車券が料金不足であって、乗車券が大人用と小人用、さらに、料金の不足金額、それぞれの普通券と定期券の各条件で、それぞれを１０枚ずつ精算処理するテストデータを構成し、同様の条件で、２区間不足乗車券、３区間不足乗車券、その他必要な分の精算処理のテストデータを構成する。  このようなテストデータで端末の精算機１７は精算の演算処理を実行して、演算結果が上述の各条件で精算処理が正確にできているか否かの判定を行い、この集計データと判定結果とを演算結果としてセンタ１０のホストコンピュータ１１に返信する。
【００３３】
すなわち、図６の下段の「１区間不足乗車券」は、前述のテストデータの「１区間不足乗車券」のテストデータで精算するために演算処理した精算処理データと、該処理での判定結果を示す判定データを集計した集計データを示す。そして、この集計データは「２区間不足乗車券」「３区間不足乗車券」その他テストデータ全ての精算処理データとその判定データが集計される。
【００３４】
センタ１０のホストコンピュータ１１に対しては、上述の集計データと、この集計により全体の判定結果ＯＫとが返信される。勿論、センタ１０のホストコンピュータ１１では上述の演算結果を判定することにより、精算機１７に対する運賃データの改正が正確に完了しているか否かを判定して確認する。
【００３５】
なお、プリペードカードを発行し、改札処理をする場合は、該プリペードカードに対応したテストデータを構成して、テストすることもできる。
【００３６】
上述したように、駅務において、運賃を改正した場合、センタ１０のホストコンピュータ１１から各端末の自動券売機１５、自動改札機１６、精算機１７にテストデータを送信し、端末では、該端末がそれぞれの処理を演算してその集計データと演算結果をセンタ１０のホストコンピュータ１１に返信する。そして、センタ１０のホストコンピュータ１１では、各端末からの演算結果に基づいて、新運賃に変更されているか否かを確認する。
【００３７】
上述の結果、端末のデータ変更についての確認作業は、係員が端末まで出向いてこれを動作させて確認することがなく、テストデータと演算結果の送受信によりセンタのホストコンピュータ側でデータの変更が効率よく確認ができ、従来の人手による確認作業がなくなり、確認作業が迅速に、また、短時間にできる。
【００３８】
この発明の構成と、上述の実施例との対応において、
この発明の端末は、実施例の自動券売機１５、自動改札機１６、精算機１７に対応し、
以下同様に、
ホストコンピュータは、センタ１０のホストコンピュータ１１に対応し、
送信手段は、ホストコンピュータ１１の送信機能に対応し、
演算手段は、端末のＣＰＵ２０に対応し、
返信手段は、端末の通信制御部２４に対応するも、
この発明は、特許請求の範囲に記載の技術的思想に沿って応用され、上述の実施例の構成のみに限定されるものではない。
【図面の簡単な説明】
【図１】通信システムの構成図。
【図２】端末の制御回路ブロック図。
【図３】センタ入力データの説明図。
【図４】自動券売機のテストデータおよび集計データの説明図。
【図５】自動改札機のテストデータおよび集計データの説明図。
【図６】精算機のテストデータおよび集計データの説明図。
【符号の説明】
１０…センタ
１１…ホストコンピュータ
１５…自動券売機
１６…自動改札機
１７…精算機
２０…ＣＰＵ
２１…ＲＡＭ
２４…通信制御部